(57)【要約】【課題】サービスコントロールポイント（ＳＣＰ／ＳＣＦ）とスイッチングポイント（ＳＳＰ／ＳＳＦ）との間のメッセージトラフィックを削減する方法であって、サービススイッチングポイント（ＳＳＰ）でインテリジェントネットワークサービスを実行する方法を提供する。【解決手段】実行により前記インテリジェントネットワークサービスを実施するオペレーションを含むサービスロジックは、各インテリジェントネットワークサービスがスイッチングポイント（ＳＳＰ）で実行されるように形成される。サービススイッチングポイント（ＳＳＰ）はサービスロジックを受信し、少なくとも１つの基準を受信し、その終了の際には、サービススイッチングポイント（ＳＳＰ）が前記オペレーションを実行する。前記基準の終了の際には、サービススイッチングポイントが前記オペレーションを実行する。【選択図】図３
2008301519.tif 000002
【特許請求の範囲】
【請求項１】
インテリジェントネットワークを使用し、サービスコントロールポイント（ＳＣＰ）を備える電気通信システムのサービススイッチングポイント（ＳＳＰ）において少なくとも１つのインテリジェントネットワークサービスを実行する方法において、
各インテリジェントネットワークがサービススイッチングポイント（ＳＳＰ）において実行されるために、オペレーションを含むサービスロジックが形成され、オペレーションの実行により前記インテリジェントネットワークサービスが実施され、
サービススイッチングポイント（ＳＳＰ）は、前記サービスロジック及び少なくとも１つの基準を受信し、前記基準を満たしたときに、サービススイッチングポイント（ＳＳＰ）は前記オペレーションを実行するように要求され、
サービススイッチングポイント（ＳＳＰ）は、前記基準を満たしたことに応答して前記オペレーションを実行することを特徴とする方法。
【請求項２】
サービススイッチングポイント（ＳＳＰ）は、サービスコントロールポイント（ＳＣＰ）からサービスロジックを受信する請求項１に記載の方法。
【請求項３】
サービススイッチングポイント（ＳＳＰ）は、既知のＳＣＰ／ＳＳＰインターフェイスを介してサービスロジックを受信する請求項２に記載の方法。
【請求項４】
電気通信システムでは、プロトコルが規定され、それによって、前記インテリジェントネットワークサービスに関連するサービスキーを含む初期メッセージ（ＩＤＰ）を伝送することにより、サービススイッチングポイント（ＳＳＰ）はサービスコントロールポイント（ＳＣＰ）においてインテリジェントネットワークサービスの実行を開始することができ、
サービスキーは各サービスロジックに関連し、
オペレーションの実行のための前記基準は、前記初期メッセージ（ＩＤＰ）に含まれるサービスキーが前記サービスロジックに関連するサービスキーに対応することを含む請求項３に記載の方法。
【請求項５】
サービスロジックを転送する際に、サービスコントロールポイント（ＳＣＰ）は、サービスロジックに関連するデータがサービススイッチングポイント（ＳＳＰ）に何時間記憶されるべきかを規定する請求項１に記載の方法。
【請求項６】
サービスロジックを規定することには、
サービスキーと、少なくとも１つの検知ポイント（ＤＰ）と、サービスロジックの明確な識別子とが少なくとも含まれ、
前記サービスキーは、前記インテリジェントネットワークサービスを識別するためのものであって、前記初期メッセージに関連するサービスキーに対応し、
前記検知ポイントの遭遇時に、前記サービスロジックが開始される請求項１に記載の方法。
【請求項７】
サービスロジックを規定することにはまた、加入者Ａもしくは加入者Ｂの番号といったようなインテリジェントネットワークのための初期条件が含まれる請求項６に記載の方法。
【請求項８】
サービスロジックを規定することにはまた、サービススイッチングポイント（ＳＳＰ）においてサービスロジックの実行が終了されるべき時が含まれる請求項６もしくは請求項７に記載の方法。
【請求項９】
サービスロジックを規定することにはまた、サービスコントロールポイント（ＳＣＰ）への問い合わせが含まれる請求項６もしくは請求項８に記載の方法。
【請求項１０】
サービスコントロールポイント（ＳＣＰ）からサービススイッチングポイント（ＳＳＰ）へインテリジェントネットワークサービスを転送するためのプロトコルにおいて、
少なくとも第１のメッセージ及び第２のメッセージを備え、各メッセージはサービスロジックを識別するための識別子を有し、
第１のメッセージ（ＳＳＬＲ）は１つのサービスロジック及び少なくとも１つの基準を規定し、サービスロジックはオペレーションを含み、オペレーションの実行により、１つのインテリジェントネットワークサービスが実施され、また、前記基準を満たしたときに、サービススイッチングポイント（ＳＳＰ）が前記オペレーションを実行し、
第２のメッセージ（ＥＳＬＲ）は、サービススイッチングポイント（ＳＳＰ）へのサービスロジックの転送が終了されることを規定することを特徴とするプロトコル。
【請求項１１】
第３のメッセージ（ＣＳＬＲ）及び第２の基準も備え、第３のメッセージは、インテリジェントネットワークの問い合わせ後にサービスロジックが実行するべきオペレーションを規定し、第２の基準は時間もしくは検知ポイントといったようなものであり、それによって、サービスロジックの実行が、前記インテリジェントネットワークの問い合わせ後に継続する請求項１０に記載のプロトコル。
【請求項１２】
第４のメッセージ（ＥＳＬＥ）も備え、第４のメッセージは、サービススイッチングポイント（ＳＳＰ）が前記サービスロジックを実行するのを止めるべきであることを規定する請求項１１に記載のプロトコル。
【請求項１３】
インテリジェントネットワークサービスを生成して記憶するための手段と、サービススイッチングポイント（ＳＳＰ）へのインターフェイスとを備えるインテリジェントネットワークのサービスコントロールポイント（ＳＣＰ）において、
サービスロジックの番号を生成するための手段を備え、各サービスロジックはオペレーションを備え、オペレーションの実行により、１つのインテリジェントネットワークサービスが実施され、
また、少なくとも１つの基準を伝送するための手段を備え、前記基準を満たしたときに、サービススイッチングポイント（ＳＳＰ）は前記サービスロジックを開始し、
また、前記サービスロジックをサービススイッチングポイント（ＳＳＰ）に伝送するための手段とを更に備えることを特徴とするサービスコントロールポイント。
【請求項１４】
サービスコントロールポイント（ＳＣＰ）への、インテリジェントネットワークサービスに関連するインテリジェントネットワーク問い合わせを実行するための手段を備えるインテリジェントネットワークのサービススイッチングポイント（ＳＳＰ）において、
サービスロジックの番号を受信し、記憶し、実行するための手段を備え、各サービスロジックはオペレーションを備え、オペレーションの実行により、１つのインテリジェントネットワークサービスが実施され、
また、少なくとも１つの基準を受信するための手段を備え、前記基準を満たしたときに、サービススイッチングポイント（ＳＳＰ）は前記サービスロジックを開始し、
また、前記少なくとも１つの基準を満たしたことに応答して、サービスロジックを開始するための手段を備えることを特徴とするサービススイッチングポイント。
【発明の詳細な説明】
【技術分野】
【０００１】
本発明は、インテリジェントネットワーク、特に、サービススイッチングポイントとサービスコントロールポイント間におけるメッセージトラフィックの削減に関する。
【背景技術】
【０００２】
インテリジェントネットワーク（ＩＮ）は、例えば有線ネットワークもしくは移動電話ネットワークといった電気通信ネットワークのユーザーに、複数の様々なサービスを提供することができる。このようなサービスには、仮想専用ネットワーク（ＶＰＮ）や、パーソナル番号が含まれ、仮想専用ネットワークは、ローカルネットワークに属するユーザー間での短い番号の使用を可能にし、パーソナル番号では、インテリジェントネットワークは、パーソナル番号に送られた呼を加入者によって管理されるように経路変更する。このようなインテリジェントネットワークの一例は、ＩＴＵ−Ｔ Ｑ−１２００シリーズの勧告に記載され、その内のＱ−１２１０からＱ−１２１９は、ＣＳ−１（Capability Set（ケイパビリティセット１））として知られる１セットの機能を規定し、同様に、Ｑ−１２２０からＱ−１２２９は、ＣＳ−２の１セットの機能を規定する。本発明及びその背景は、ＥＴＳ ３００ ３７４−１ ＣｏｒｅｌＮＡＰ勧告の専門用語によって記載されているが、本発明はまた他のインテリジェントネットワークスタンダードに従って実施されるインテリジェントネットワークにおいても使用され得る。
【０００３】
インテリジェントネットワークに関して規定される基本呼状態モデル（ＢＣＳＭ）は、様々な段階の呼制御を記載し、インテリジェントネットワークサービスを開始するために、呼制御を中断することができるポイントを規定する。それは、呼及び接続処理中に検知ポイントを識別し、そこでは、インテリジェントネットワークのサービスロジック要素は、基本通話及び接続管理機能との対話型関係を有し得る。
【０００４】
インテリジェントネットワークの助けなしで行われる従来の呼確立では、電話交換機は、呼ルーティングについて全く独立に推論する。１もしくは１よりも多数のサービス制御機能（ＳＣＦ）は、インテリジェントネットワークアーキテクチャと関連する。ＳＣＦのために決定されたタスクを実行する機器もしくはネットワーク要素は、サービスコントロールポイント（ＳＣＰ）と称される。本発明では、ＳＣＦ及びＳＣＰは等しく、以後は、ＳＣＰと称される。ＳＣＰは、呼確立命令を交換機に与える。すなわち、交換機はＳＣＰに呼確立命令を問い合わせる。もし、加入者Ｂのインターフェイスは、呼確立のある段階で話中であると判断されるならば、例えば、呼を代替の番号に送ることができる。図１は、本発明の理解に適切なインテリジェントネットワークの他の要素も示す。例えば、高度な交換機の呼ハンドリングを備える機能呼制御機能（ＣＣＦ）であり、それは、転送接続を確立したり開放したりする。サービスデータ機能ＳＤＦ及びサービスデータポイントＳＤＰは、加入者特定及び／もしくはサービス特定情報を含むデータベースを形成する。専用リソース機能ＳＲＦは、加入者との対話に関連するネットワーク機構へのインターフェースである。それは、インテリジェント周辺機器（ＩＰ）として知られるものと関連し、例えば、交換機が一般に実施するよりも進んだスピーチハンドリング機能を備える。
【０００５】
サービススイッチング機能（ＳＳＦ）は、呼制御機能ＣＣＦとサービス制御機能ＳＣＦ間のインターフェイスである。ＳＳＦを実行するネットワーク要素は、サービススイッチングポイント（ＳＳＰ）と称される。インテリジェントネットワークサービスはサービススイッチングポイントＳＳＰによって生成され、サービススイッチングポイントは、サービスと関連する検知ポイントの遭遇時に、ＳＳＰ／ＳＣＰインターフェイスを渡って伝送されるメッセージで、サービスコントロールポイントＳＣＰに命令を問い合わせる。インテリジェントネットワークの専門用語では、これらのメッセージはオペレーションと称される。インテリジェントネットワークサービスと関連して、サービスプログラムはサービスコントロールポイントＳＣＰで開始され、そのプログラムのオペレーションは、呼の各段階でＳＣＰによってＳＳＰへ伝送されるオペレーションを決定する。
【０００６】
図２は、検知ポイントにおける従来技術のインテリジェントネットワークのオペレーションを示す。ステップ２−１では、ＳＳＰは、呼を確立するために必要なデータを含むInitialDPをＳＣＰへ送る。次の検知ポイントがＳＳＰに備えられる。ステップ２−２では、ＳＣＰは、ＳＳＰへRequestReportBCSMEメッセージを送り、ＳＳＰに、どの検知ポイントの遭遇をそれがＳＣＰへ報告すべきかを通知する。次に、ステップ２−３では、一般的に、ＳＣＰは、課金及び／もしくは対話オペレーションを伝送する。それらは、例えば、FurnishChargingInformation（インテリジェントネットワークと関連する課金情報を記録する）もしくはPlayAnnouncement（加入者へインテリジェントネットワークに関連するお知らせを与える）である。ステップ２−４では、ＳＣＰはＳＳＰへルーティング命令を伝送する。それは、例えば、CollectInformation（加入者からのダイヤリング情報の収集）、Connect（呼を新しい番号に送る）、Continue（同一データで呼確立を継続）もしくはReleaseCall（接続を開放する）である。インテリジェントネットワーク勧告では、呼確立は、Point−In−Call（ＰＩＣ）と称される所定のおおまかなフェーズに分割される。CollectInformationオペレーションに応答して、ＰＩＣ２フェーズから呼確立を継続したり、Connectオペレーションに応答して、ＰＩＣ３から呼確立を継続したりする等々のようにＳＳＰを構成することができる。
【０００７】
２種類の検知ポイントがある。図２の上記のイベントは、Trigger Detection Point（ＴＤＰ（トリガー検知ポイント））と称される検知ポイントに関する。ＳＳＰは、このようなＴＤＰ検知ポイントに関して、ＳＣＰに最初の問い合わせをして、呼確立のための命令を受信する。検知ポイントの別のタイプは、イベント検知ポイント（ＥＤＰ）として知られるものである。図２の２−５は、呼確立中に、このようなＥＤＰ検知ポイントに遭遇する場合の例を示す。ＳＳＰは、検知ポイントの遭遇をＳＣＰへ報告し、ＳＣＰは、ステップ２−７で、より多くの呼確立命令をＳＳＰへ伝送する。
【０００８】
本装置の問題は、何よりも、ＳＳＰ／ＳＣＰインターフェイスを渡るかなりの数のメッセージトラフィックである。このメッセージトラフィック及びサービスコントロールポイントＳＣＰにより備えられる多数のサービスプログラムも、ローディング遅延のために、サービスプログラムのオペレーションを遅くする。
【発明の開示】
【発明が解決しようとする課題】
【０００９】
本発明の目的は、インテリジェントネットワークのメッセージトラフィックを削減して、より多く、及び／もしくは、より高速にインテリジェントネットワークサービスを生成可能にするように、サービスを生成するための方法及び装置を提供することである。本発明の目的は、独立請求項の特徴部分に開示されるものによって特徴付けられる方法及び装置によって実現される。本発明の好ましい実施例は、従属請求項に開示されている。
【課題を解決するための手段】
【００１０】
本発明の基本的な思想は、インテリジェントネットワークサービスの生成及び管理を、サービスコントロールポイントＳＣＰで、従来のインテリジェントネットワークの概念に従って集中的に実施することである。本発明に従って、インテリジェントネットワークの機能は、以下のように補足される。サービスプログラムがサービスコントロールポイントＳＣＰで集中的に実行される代わりに、サービスプログラムの機能の少なくとも一部は、ＳＳＰ／ＳＣＰインターフェイスの他方、すなわちサービススイッチングポイントＳＳＰに転送されて、記憶される。本発明では、ＳＳＰへ転送されるこのようなサービスプログラムもしくはそれらの一部は、「ＳＳＰサービスロジック」もしくは短く「サービスロジック」と称される。「サービスプログラム」という用語は、サービスコントロールポイントＳＣＰにて記憶されて、実行されるプログラムのために確保されている。本発明の好ましい実施例によると、サービスロジックは、通常のＳＣＰ／ＳＳＰインターフェイスを介してＳＳＰへ転送されるが、これを、サービスロジックを少なくとも部分的に何らかの他の手段、例えばディスケットによって転送し、サービスロジックの実行のみをＳＣＰ／ＳＳＰインターフェイスを介して制御することにより実施することも可能である。
【００１１】
電話交換機が、本発明に従って実施されるインテリジェントネットワークサービスが関連する呼を確立する場合、ＳＳＰは、サービスロジックがＳＳＰにローカルに配置されていることを検知し、従って、サービスコントロールポイントＳＣＰへのルーティングは必要とされず、インテリジェントネットワークサービスはＳＳＰでローカルに開始されて、実行され得る。
【００１２】
サービススイッチングポイントＳＳＰへ転送されたサービスロジックは、ＳＣＰへの問い合わせを要求せず、結果として、本発明は、ＳＳＰとＳＣＰ間のメッセージトラフィックをかなり削減する。本発明はまたサービスコントロールポイントＳＣＰの内部負荷も削減する。何故ならば、いくつかのサービスプログラムは、ＳＳＰで実行されるべきサービスロジックと置き換えられるからである。
【００１３】
もし、ＳＣＰが、ＳＳＰへ転送されたサービスロジックの使用を所望するならば、ＳＣＰは、ＳＳＰへ、サービスロジックをＳＳＰから除去するためのオペレーションを伝送する。もし、必要ならば、例えば、最初にＳＣＰがＳＳＰから古いロジックを除去して、それから、変更されたサービスロジックをＳＳＰへ伝送することによって、ＳＳＰのサービスロジックのオペレーションを変更することができる。（古いサービスロジックが除去される代わりに、それは休止状態にされても良い。）
【００１４】
サービスロジックを、主に、ＳＣＰ／ＳＳＰインターフェイスの標準化されたオペレーションによって、ＳＳＰに伝送して、記憶することができる。いくつかの新しいオペレーションも必要とされ、それらのオペレーションで、ＳＣＰはロジックを記録する際にＳＳＰを制御し、サービスロジックと関連する制御情報が伝送される。
【００１５】
本発明の好ましい実施例では、ＳＣＰは、何時間サービスロジック情報をＳＳＰに記憶するかについて決定する。この追加の機能は、サービス管理がサービスコントロールポイントＳＣＰで継続的に維持されることを保証する。
【発明を実施するための最良の形態】
【００１６】
以下で、添付図面を参照して、好ましい実施例に関連して、本発明をより詳細に説明する。
【００１７】
もし、使用されるインテリジェントネットワークアーキテクチャが、以下の、もしくは同様のオペレーションを備えていないならば、それらは生成されなければならない。最初の新しいオペレーションは、ＳＣＰが、ＳＳＰに、ＳＳＰが記録すべきサービスロジックを伝送しようとしていることを、ＳＳＰに通知するために、ＳＣＰによって使用される。本発明では、このオペレーションは、StartServiceLogicRecording、すなわちＳＳＬＲと称される。一般的に、以下のデータが、ＳＳＬＲオペレーションへのパラメータとして与えられる。
１） 前記インテリジェントネットワークサービスを識別するためのサービスキー（ServiceKey）。これは、上述のインテリジェントネットワーク勧告に記載されているサービスキーに相当し、InitialDPオペレーションに関して伝送される。
２） 遭遇時に前記サービスロジックがＳＳＰにおいて開始されるべきである検知ポイント（ＤＰ）。
３） もし、規定されているならば、例えば、加入者Ａもしくは加入者Ｂの番号、ＩＭＳＩ、ＩＭＥＩ等々といったインテリジェントネットワークサービスのための実行条件。
４） ＳＣＰが規定するサービスロジック（ssp_slq_id）の明確な識別子。
５） 任意で、何時間サービスロジックがＳＳＰで実行されるかを定める時間（execution_time）。
【００１８】
ＳＣＰからＳＳＰへのサービスロジックの転送は、ＳＣＰがＳＳＰへＳＳＬＲオペレーションを伝送することによって相応して開始される。それから、ＳＣＰは、ＳＳＰへ、ＳＣＰのサービスプログラムが従来技術に従ってインテリジェントネットワークサービスを開始するInitialDPオペレーションに応答して実施する標準化されたインテリジェントネットワークオペレーションを伝送する。ＳＳＰは、これらのオペレーションをそのメモリに前記サービスロジックの識別子に基づいて記録する。
【００１９】
サービスプログラムは、後の検知ポイントもしくはオペレーションにＳＣＰ問い合わせを含み、自発的に伝送されるようにしても良い。これらの場合には、InitialDPメッセージに対する応答が受信された後に、インテリジェントネットワークサービスが継続する。このような状況は、対応するＳＳＰサービスロジックにおいて考慮されなければならない。この目的のために、ContinueServiceLogicLogicRecording、すなわちＣＳＬＲが規定される。パラメータとして、それに、ＳＳＰにおけるサービスロジックの実行が継続するべきである時間が与えられる（when_to_continue）。パラメータに、「自発」値を与えることができ、それは、サービスロジックの実行がすぐに継続するべきであることを意味する。パラメータに与えられるべき代替値は「検知ポイント」であり、それは、サービスロジックの実行が検知ポイントから継続するべきであることを意味し、検知ポイントの識別子が更なる情報として与えられる。
【００２０】
ＣＳＬＲオペレーションをＳＳＰへ伝送して、ＳＣＰはまた、ＳＳＰへ、従来技術に従い、先のフェーズが終了された後のサービスプログラムの実施の継続に関連するオペレーションを送る。（これに関して「フェーズ」とは、インテリジェントネットワークの専門用語で使用される呼確立の一部を称しており、方法を記載するのに使用される「ステップ」と混同されてはならない。）もし、前記サービスのプログラムもしくはサービスロジックのオペレーションがいくつかのフェーズに分けられるならば、ＣＳＬＲオペレーションを数回同様に使用することができる。
【００２１】
一度、全サービスプログラムが、ＳＳＰのサービスロジックに転送されて、記録されると、ＳＣＰは、ＳＳＰに、サービスロジックを記録するのを止めるように命令する。このオペレーションは、EndServiceLogicRecording、すなわちＥＳＬＲと称される。パラメータとして、それに、少なくともサービスロジックの明確な識別子、すなわちＳＳＬＲオペレーションに関して伝送されたのと同一のものが与えられる（ssp_slq_id）。一度、ＳＳＰがＥＳＬＲオペレーションを受信すると、それは、サービスロジックを記録するのを止める。同時に、本発明に従うＳＣＰからＳＳＰへのサービスロジックを転送するための機構は終了する。
【００２２】
サービス管理がサービスコントロールポイントＳＣＰで継続的に維持されるために、別の新しいオペレーションが必要とされ、それによって、ＳＣＰはＳＳＰに所定のサービスロジックを使用するのを終了するように命令する。このオペレーションは、EndServiceLogicExecution、すなわちＥＬＳＥと称される。パラメータとして、少なくともサービスロジックの明確な識別子、すなわち、ＳＳＬＲオペレーションに関して伝送されたのと同一のものがオペレーションに与えられる（ssp_slp_id）。このオペレーションに応答して、ＳＳＰは、そのメモリから前記サービスロジックを削除するか、もしくは少なくともそれを休止する。
【００２３】
図３は、サービスコントロールポイントＳＣＰからサービススイッチングポイントＳＳＰへのサービスプログラムの転送を示す。ステップ３−１では、ＳＣＰは、ＳＳＰに、ＳＳＬＲオペレーションを伝送する。そのフォーマットは、ＳＳＬＲ（サービスキー＝５５；DetectionPoint＝２；ExecutionCondition＝なし；ExecutionTimer＝ずっと；ssp_slp_id＝１２３４）である。ステップ３−２では、ＳＣＰは、FurnishChargingInformationオペレーションをＳＳＰに伝送することにより、ＩＮ伝票として知られるものを形成する。ＩＮ伝票とは、ＳＳＰによって記録され、インテリジェントネットワークサービスと関連する課金情報を称する。この情報は、ＳＣＰによって伝送されたFurnishChargingInformationオペレーションの内容から直接取得される。ステップ３−３では、ＳＣＰは、RequestReportBSCMOperationメッセージを伝送し、それで、ＳＳＰに、検知ポイントＤＰ５及びＤＰ６の遭遇に関して報告するように命令する（ＤＰ５＝被呼加入者は話中、ＤＰ６＝被呼加入者は応答しない）。ステップ３−４では、ＳＣＰはConnectオペレーションを伝送し、それで、ＳＣＰは、呼確立で使用されるデータ、例えば加入者Ａ及び加入者Ｂの番号を変更する。加入者Ｂの番号の変換時に、呼は経路変更される。ステップ３−５では、ＳＣＰは、本発明に従うＣＳＬＲオペレーションを伝送し、結果として、ＳＳＰは、サービスロジックを記録し続ける。ステップ３−６では、もし、検知ポイントＤＰ５が遭遇された（被呼加入者は話中）ならば、ＳＣＰは、Connectオペレーションで、呼の伝送先である代替番号を与える。同様に、ステップ３−７及び３−８では、検知ポイントＤＰ６が遭遇された（被呼加入者は応答しない）ならば、ＳＣＰは、呼が伝送される場所を通知する。ステップ３−９では、ＳＣＰは、ＥＳＬＲオペレーションによって、サービスロジックの転送が終了されることを通知する。
【００２４】
図４は、サービススイッチングポイントにおけるインテリジェントネットワークサービスのオペレーションを示す。ステップ４−１では、ＣＣＦは検知ポイントＤＰ２（Collected_Info）に遭遇する。すなわち、交換機は、加入者によってダイヤルされた十分な数の番号を受信した。ステップ４−２では、制御がＳＳＦに移される。ステップ４−３では、ＳＳＦは、インテリジェントネットワークサービスが検知ポイントＤＰ２から始まるのを検知して、InitialDPオペレーションに情報を詰めるのを開始する。ステップ４−４では、それは、前記インテリジェントネットワークサービスが、サービスロジックによってＳＳＰでローカルに実施されることを検知し、ステップ４−５では、それは前記サービスロジックを開始する。ステップ４−６では、サービスロジックは、ＳＳＰにFurnishChargingInformationオペレーションを転送することによってＩＮ伝票を形成する。ステップ４−７では、サービスロジックは、RequestReportBSCMOperationメッセージを伝送し、それで、サービスロジックは、ＳＳＰに、検知ポイントＤＰ５及びＤＰ６の遭遇に関して報告するように命じる。ステップ４−８では、サービスロジックは、パラメータが番号Ｃ、すなわち、もし、加入者Ｂが話中もしくは応答しないならば、呼が伝送される代替の番号であるConnectオペレーションを伝送する。ステップ４−９では、制御がＣＣＦへ戻され、それは、番号Ｃへの呼を確立するのを試みる。ステップ４−１０では、番号Ｃは話中であると検知され、検知ポイントＤＰ５が遭遇される。ステップ４−１１では、制御が再びＳＳＦへ移され、それは、ステップ４−１２で、先に開始されたインテリジェントネットワークサービスはサービスロジックによって実施されていることを検知する。ステップ４−１３では、ＳＳＦは、サービスロジックに、前記インテリジェントネットワークサービスの実行を継続するように命令する。ステップ４−１４及び４−１５は、ステップ４−８及び４−９に対応するが、今度は、呼は別の代替の番号、すなわち番号Ｄに転送される。ステップ４−１６では、番号Ｄに関連する加入者が応答し、ステップ４−１７で、第２の話者（このケースではＡ）が電話をきるまで、呼はスピーチモードに切り換わり、それによって、要求される課金情報が従来の方法で生成され、呼によって取られていたリソースが開放される。ステップ４−１８では、ＣＣＦは、ＳＳＦに、リソースを開放するように命令し、ステップ４−１９では、ＳＳＦは、サービスロジックに、サービスロジックの実行を終了するように命令する。
【００２５】
図５のフローチャートは、ＳＳＰサービスロジックの実行を例示する別の方法である。ステップ５０２では、呼中に、ＣＣＦは、インテリジェントネットワークサービスの開始を要求する検知ポイントに遭遇する。ステップ５０４では、ＳＳＦはデータをInitialDPオペレーションに詰める。ステップ５０６では、ＳＳＦは、このオペレーションにパラメータとして与えられたServiceKeyフィールドがＳＳＰのいずれかのサービスロジックにおいて使用中かどうかを調べる。もし、そうならば、処理はステップ５０８に進み、そこでは、ＳＳＦは前記サービスロジックの実行を開始する。もし、前記ServiceKeyフィールドがＳＳＰのいずれかのサービスロジックにおいて使用中でないならば、ステップ５１０で、初期メッセージＩＤＰがＳＣＰに伝送される。すなわち、通常のＳＣＰ問い合わせが実行される。ステップ５１２で、ＳＳＦは、インカミングのインテリジェントネットワークオペレーションを受信し、ステップ５１４で、それは、これらのオペレーションの制御下で継続する。
【００２６】
従来のサービスコントロールポイントＳＣＰは、インテリジェントネットワークサービスを生成して、実行するための手段を備えることを求められる。インテリジェントネットワークサービスを規定することは、当業者にとって既知であると考えられる。サービスを生成するために、ＳＣＰはユーザーインターフェイスを備え、それを介して、インテリジェントネットワークサービスを、ユーザーインターフェイスによって提供される機構によって規定することができる。例えば、Service Independent Building Block、ＳＩＢである。サービスの実行には、サービススイッチングポイントＳＳＰに検知ポイントを装備すること、及び、異なる検知ポイントの遭遇に関して、サービススイッチングポイントＳＳＰから受信された情報に応答して、サービスを実行することが含まれる。
【００２７】
本発明の実施は、インテリジェントネットワークのサービスコントロールポイントＳＣＰ及びサービススイッチングポイントＳＳＰの変更を殆ど必要としない。サービスを、依然として、従来の方法で、サービスコントロールポイントＳＣＰで生成することができる。ＳＣＰに記憶して、ＳＣＰでサービスを実行する代わりに（もしくは、それに追加して）それらはＳＳＰに記憶されて、ＳＳＰで実行され、ＳＳＰでは、通常より多くのメモリ及び処理容量が、サービスを記憶して、実行するために要求される。ＳＳＰでサービスロジックを記憶して、実行するためのメモリ及び処理手段は、ほぼＳＣＰのものと同一である。サービスの分配のために、インテリジェントネットワークサービスがＳＣＰで完全に実行されるような既知の解決策の場合よりも多数の低能力のプロセッサが要求される。更に、ＳＳＰは、好ましくは従来のＳＣＰ／ＳＳＰインターフェイスを介してサービスロジックを受信するためのソフトウェアルーチンを要求する。同様に、ルーチンは、サービスロジックを伝送するためのサービスコントロールポイントＳＣＰにおいて要求される。
【図面の簡単な説明】
【００２８】
【図１】本発明に関連する既知のインテリジェントネットワークアーキテクチャの一部を示す。
【図２】インテリジェントネットワークサービスとして実施される従来技術の番号変換を例示する。
【図３】サービススイッチングポイントへのサービスプログラムの転送を示す。
【図４】サービススイッチングポイントにおけるインテリジェントネットワークサービスのオペレーションを示す。
【図５】サービススイッチングポイントもしくはサービスコントロールポイントにおけるサービスロジックもしくはサービスプログラムの開始を例示する。
【図１】
2008301519.tif 000003
【図２】
2008301519.tif 000004
【図３】
2008301519.tif 000005
【図４】
2008301519.tif 000006
【図５】
2008301519.tif 000007
【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
インテリジェントネットワークを使用し、サービスコントロールポイント（ＳＣＰ）を備える電気通信システムのサービススイッチングポイント（ＳＳＰ）において少なくとも１つのインテリジェントネットワークサービスを実行する方法において、
各インテリジェントネットワークがサービススイッチングポイント（ＳＳＰ）において実行されるために、オペレーションを含むサービスロジックが形成され、オペレーションの実行により前記インテリジェントネットワークサービスが実施され、
サービススイッチングポイント（ＳＳＰ）は、前記サービスロジック及び少なくとも１つの基準を受信し、前記基準を満たしたときに、サービススイッチングポイント（ＳＳＰ）は前記オペレーションを実行するように要求され、
サービススイッチングポイント（ＳＳＰ）は、前記受信した少なくとも１つの基準を満たしたことに応答して前記オペレーションを実行することを特徴とする方法。
【請求項２】
サービススイッチングポイント（ＳＳＰ）は、サービスコントロールポイント（ＳＣＰ）からサービスロジックを受信する請求項１に記載の方法。
【請求項３】
サービススイッチングポイント（ＳＳＰ）は、既知のＳＣＰ／ＳＳＰインターフェイスを介してサービスロジックを受信する請求項２に記載の方法。
【請求項４】
電気通信システムでは、プロトコルが規定され、それによって、前記インテリジェントネットワークサービスに関連するサービスキーを含む初期メッセージ（ＩＤＰ）を伝送することにより、サービススイッチングポイント（ＳＳＰ）はサービスコントロールポイント（ＳＣＰ）においてインテリジェントネットワークサービスの実行を開始することができ、
サービスキーは各サービスロジックに関連し、
オペレーションの実行のための前記基準は、前記初期メッセージ（ＩＤＰ）に含まれるサービスキーが前記サービスロジックに関連するサービスキーに対応することを含む請求項３に記載の方法。
【請求項５】
サービスロジックを転送する際に、サービスコントロールポイント（ＳＣＰ）は、サービスロジックに関連するデータがサービススイッチングポイント（ＳＳＰ）に何時間記憶されるべきかを規定する請求項１に記載の方法。
【請求項６】
サービスロジックを規定することには、
サービスキーと、少なくとも１つの検知ポイント（ＤＰ）と、サービスロジックの明確な識別子とが少なくとも含まれ、
前記サービスキーは、前記インテリジェントネットワークサービスを識別するためのものであって、前記初期メッセージに関連するサービスキーに対応し、
前記検知ポイントの遭遇時に、前記サービスロジックが開始される請求項１に記載の方法。
【請求項７】
サービスロジックを規定することにはまた、加入者Ａもしくは加入者Ｂの番号といったようなインテリジェントネットワークのための初期条件が含まれる請求項６に記載の方法。
【請求項８】
サービスロジックを規定することにはまた、サービススイッチングポイント（ＳＳＰ）においてサービスロジックの実行が終了されるべき時が含まれる請求項６もしくは請求項７に記載の方法。
【請求項９】
サービスロジックを規定することにはまた、サービスコントロールポイント（ＳＣＰ）への問い合わせが含まれる請求項６もしくは請求項８に記載の方法。
【請求項１０】
サービスコントロールポイント（ＳＣＰ）からサービススイッチングポイント（ＳＳＰ）へインテリジェントネットワークサービスを転送するためのプロトコルにおいて、
少なくとも第１のメッセージ及び第２のメッセージを備え、各メッセージはサービスロジックを識別するための識別子を有し、
第１のメッセージ（ＳＳＬＲ）は１つのサービスロジック及び少なくとも１つの基準を規定し、サービスロジックはオペレーションを含み、オペレーションの実行により、１つのインテリジェントネットワークサービスが実施され、また、前記少なくとも１つの基準を満たしたときに、サービススイッチングポイント（ＳＳＰ）が前記オペレーションを実行し、
第２のメッセージ（ＥＳＬＲ）は、サービススイッチングポイント（ＳＳＰ）へのサービスロジックの転送が終了されることを規定することを特徴とするプロトコル。
【請求項１１】
第３のメッセージ（ＣＳＬＲ）及び第２の基準も備え、第３のメッセージは、インテリジェントネットワークの問い合わせ後にサービスロジックが実行するべきオペレーションを規定し、第２の基準は時間もしくは検知ポイントといったようなものであり、それによって、サービスロジックの実行が、前記インテリジェントネットワークの問い合わせ後に継続する請求項１０に記載のプロトコル。
【請求項１２】
第４のメッセージ（ＥＳＬＥ）も備え、第４のメッセージは、サービススイッチングポイント（ＳＳＰ）が前記サービスロジックを実行するのを止めるべきであることを規定する請求項１１に記載のプロトコル。
【請求項１３】
インテリジェントネットワークサービスを生成して記憶するための手段と、サービススイッチングポイント（ＳＳＰ）へのインターフェイスとを備えるインテリジェントネットワークのサービスコントロールポイント（ＳＣＰ）において、
サービスロジックの番号を生成するための手段を備え、各サービスロジックはオペレーションを備え、オペレーションの実行により、１つのインテリジェントネットワークサービスが実施され、
また、少なくとも１つの基準を伝送するための手段を備え、前記伝送された少なくとも１つの基準を満たしたときに、サービススイッチングポイント（ＳＳＰ）は前記サービスロジックを開始し、
また、前記サービスロジックをサービススイッチングポイント（ＳＳＰ）に伝送するための手段とを更に備えることを特徴とするサービスコントロールポイント。
【請求項１４】
サービスコントロールポイント（ＳＣＰ）への、インテリジェントネットワークサービスに関連するインテリジェントネットワーク問い合わせを実行するための手段を備えるインテリジェントネットワークのサービススイッチングポイント（ＳＳＰ）において、
サービスロジックの番号を受信し、記憶し、実行するための手段を備え、各サービスロジックはオペレーションを備え、オペレーションの実行により、１つのインテリジェントネットワークサービスが実施され、
また、少なくとも１つの基準を受信するための手段を備え、前記基準を満たしたときに、サービススイッチングポイント（ＳＳＰ）は前記サービスロジックを開始し、
また、前記受信した少なくとも１つの基準を満たしたことに応答して、サービスロジックを開始するための手段を備えることを特徴とするサービススイッチングポイント。